(57)【要約】      （修正有）【課題】回転可能に設けた供給リ−ルと巻取リ−ルと、転写ヘッドを具設した転写具に収容され、終端表示部を備える粘着剤転写テープの提供。【解決手段】ベーステープ２の終端部３の表面２ａの全面に、バインダー樹脂と染料又は顔料からなる終端を表示する着色層４を設けた後に、ベーステープ２の表面２ａ上や終端部３の表面２ａ上に設けた着色層４上および裏面２ｂ上にシリコン樹脂やワックス等からなる離型層５を塗布する。ベーステープ２の表面２ａ側の前記離型層５上に糊の粘着剤層６を設ける。【選択図】図２
2011098996.tif 000002
【特許請求の範囲】
【請求項１】
回転可能に設けた供給リ−ルと巻取リ−ルと、転写ヘッドを具設した転写具に収容される、ベーステープの片面に転写対象物に転写可能な粘着剤層を設けた粘着剤転写テープであって、該粘着剤転写テープの終端部のベーステープに終端が近いことを知らせるための表示部を設けたことを特徴とする粘着剤転写テープ。
【請求項２】
前記表示部が、ベーステープの終端部の表面または裏面側に、終端部以前のベーステープの色と異なる色彩の着色層を設けたものである、請求項１に記載の粘着剤転写テープ。
【請求項３】
前記表示部が、ベーステープの終端部の表面または裏面側に、終端部以前のベーステープの色と異なる色彩からなる模様または文字からなる表示層を設けたものである、請求項１に記載の粘着剤転写テープ。
【請求項４】
前記着色層上あるいは表示層上に、離型層を設けてなる、請求項２または３に記載の粘着剤転写テープ。
【請求項５】
前記着色層または表示層を設けた粘着剤転写テープが、ベーステープに、着色層または表示部層、離型層、粘着剤層が順次積層してなる、請求項４に記載の粘着剤転写テープ。
【請求項６】
前記表示部が、ベーステープの後端に終端部以前のベーステープの色と異なる色彩の第２のベーステープを連続させて設けたものである、請求項１に記載の粘着剤転写テープ。
【請求項７】
請求項１ないし６のいずれか１項に記載の前記粘着剤転写テープを収容した転写具。
【発明の詳細な説明】
【技術分野】
【０００１】
本発明は、ベーステープの片面に転写対象物に転写可能な粘着剤層を設けた粘着剤転写テープおよびその粘着剤転写テープを収容した転写具に関する。
【背景技術】
【０００２】
従来より、回転可能に設けた供給リ−ルと巻取リ−ルと、転写ヘッドを具設した転写具に収容される、ベーステープの片面に糊等の粘着剤層を設けた粘着剤転写テープは知られている。
【０００３】
ベーステープに塗着した転写物を紙等の転写対象物に転写するための転写テープを転写ヘッドにより転写対象物に押し当てた状態で、転写具をスライドさせることで転写テープが順次繰出されて転写物を転写対象物へ転写する転写具は、ほとんどのものがケース本体が透明で形成されており、供給リールに巻かれた転写テープの残量を、ケース本体の外方から視認することができるようになっているが、前記粘着剤転写テープを収容した転写具、すなわち「テープのり」と呼ばれているものにおいては、一般的に粘着剤転写テープのベーステープは透明であり、粘着剤である糊も透明で、巻取リールに巻かれた粘着剤転写テープの残量が判り難いという問題があった。
【０００４】
ところで、リボンカートリッジ内に収納されたインクリボンを介して用紙に印字を行うプリンタのインクリボンにおいては、ベースリボンの終端部にカラーを施し、ベースリボンの色調を変えることによってオペレータにインクリボンの終端部を知らせる技術が、実開昭６３−１１６３６０号公報により開示されており、本発明者は、この技術を粘着剤転写テープに利用することで、前記問題を解消することを思いつき、本発明に至った。
【先行技術文献】
【特許文献】
【０００５】
【特許文献１】実開昭６３−１１６３６０号公報
【発明の概要】
【発明が解決しようとする課題】
【０００６】
本発明は前記事実に鑑みてなされたもので、回転可能に設けた供給リ−ルと巻取リ−ルと、転写ヘッドを具設した転写具に収容される、ベーステープの片面に転写対象物に転写可能な糊等の粘着剤層を設けた粘着剤転写テープを前記転写具に収容して使用した際に、前記粘着剤転写テープの終端が近いことを知ることができる粘着剤転写テープを得ることにある。また、その粘着剤転写テープを収容した「テープのり」と呼ばれている転写具を得ることにある。
【課題を解決するための手段】
【０００７】
本発明は、
「１．回転可能に設けた供給リ−ルと巻取リ−ルと、転写ヘッドを具設した転写具に収容される、ベーステープの片面に転写対象物に転写可能な粘着剤層を設けた粘着剤転写テープであって、該粘着剤転写テープの終端部のベーステープに終端が近いことを知らせるための表示部を設けたことを特徴とする粘着剤転写テープ。
２．前記表示部が、ベーステープの終端部の表面または裏面側に、終端部以前のベーステープの色と異なる色彩の着色層を設けたものである、前記１項に記載の粘着剤転写テープ。
３．前記表示部が、ベーステープの終端部の表面または裏面側に、終端部以前のベーステープの色と異なる色彩からなる模様または文字からなる表示層を設けたものである、前記１項に記載の粘着剤転写テープ。
４．前記着色層上あるいは表示層上に、離型層を設けてなる、前記２項または３項に記載の粘着剤転写テープ。
５．前記着色層または表示層を設けた粘着剤転写テープが、ベーステープに、着色層または表示部層、離型層、粘着剤層が順次積層してなる、前記４項に記載の粘着剤転写テープ。
６．前記表示部が、ベーステープの後端に終端部以前のベーステープの色と異なる色彩の第２のベーステープを連続させて設けたものである、前記１項に記載の粘着剤転写テープ。
７．前記１項ないし６項のいずれか１項に記載の前記粘着剤転写テープを収容した転写具。」
である。
【０００８】
本発明においてベーステープの終端部とは、粘着剤転写テープが転写具に収容され使用された際に、直に供給リールに巻き付けられた粘着剤転写テープの終わりが近いことを知らせるための、転写具の転写ヘッドから供給リールに複数回巻き付けられた残量の長さ部分で、決まった長さに限定されるものではなく長さは適宜設定すれば良い。
【０００９】
粘着剤転写テープの終端部に施す表示部は、終端部以前のベーステープの色と異なる色彩の着色層、模様や文字からなる表示部層を終端部のベーステープの表面または裏面に設けて形成しても良いし、ベーステープの表面または裏面に凸状部や凹状部を設けて形成しても良いが、回転可能に設けた供給リ−ルと巻取リ−ルと、転写ヘッドを具設した転写具に収容して使用し、紙等の転写対象物へ糊等の粘着剤を転写する際に、前記凸状部や凹状部の存在により転写具の転写ヘッドがベーステープの幅方向の全面を均等にを転写対象物側に押圧することができず、転写対象物へ糊等の粘着剤の一部が転写されず、まだらな状態で転写される虞があるので、ベーステープの表面または裏面側に凸状部や凹状部を設ける手段はあまり、好ましくはない。
【発明の効果】
【００１０】
本発明は粘着剤転写テープの終端部のベーステープに終端を知らせるための表示部を設けたので、転写具に収容して使用した際に、粘着剤転写テープの終端が近いことが容易に知ることができる。
【００１１】
請求項２や請求項３に係る発明では、ベーステープの終端部の表面または裏面に着色層あるいは模様や文字からなる表示層を設けるが、回転可能に設けた供給リ−ルと巻取リ−ルと、転写ヘッドを具設した転写具に収容した際には、粘着剤転写テープは供給リールに巻かれて収容されるので、着色層あるいは表示層がベーステープの裏面に施された場合には、一方の粘着剤転写テープのベーステープに施された着色層あるいは表示層が、巻かれた際の対抗した他方の粘着剤転写テープの粘着剤に粘着してしまい、紙等の転写対象物へ粘着剤とともに転写して、粘着剤が転写された転写対象物が汚れてしまう虞が、また、着色層、模様や文字がベーステープの表面に施された場合でも、紙等の転写対象物へ粘着剤とともに転写してしまい、粘着剤が転写された転写対象物が汚れてしまう虞があるので、請求項４に係る発明とすることで、前記着色層あるいは表示層がベーステープの表面や裏面から剥離することがなく、前記問題を防止することができる。
【００１２】
また、転写具であるテープのりにおける糊を塗着した粘着剤転写テープにおいては、糊の層がベーステープの表面から剥離し易いように、また供給リ−ルに巻き付けた際に他の部分のベーステープの裏面に付着して供給リールの回転を妨げないように、ベーステープの表面または裏面には離型層を設けてあるのが一般であるが、当然に離型層上に請求項２や請求項３に係る発明の着色層あるいは表示層を設けた場合には、前記したように着色層あるいは表示層がベーステープより剥離してしまう可能性があり、請求項５に係る発明とすることで、確実に前記問題を防止することができる。
【００１３】
請求項６に係る発明とすることで、前記した粘着剤が転写された転写対象物が汚れてしまうという問題を解消することができる。
【００１４】
請求項７に係る発明とすることで、前記粘着剤転写テープを収容することで、粘着剤転写テープの終端が近いことを知ることができる転写具を得ることができ、従来は、供給リ−ルに巻き付けられた粘着剤転写テープの残量が判るように、ケース本体は透明で形成する必要があるが、ケース本体の外側に付設した転写ヘッドにより引っ張られた粘着剤転写テープを見て、供給リ−ルに巻き付けられた粘着剤転写テープの残量状態が判るので、ケース本体を透明で形成する必要がなく、ケース本体に色彩等の加飾を施すことができるという利点がある。
【図面の簡単な説明】
【００１５】
【図１】本発明の第１の実施例を示す、粘着剤転写テープの終端部分の一部の平面図である。
【図２】図１における、粘着剤転写テープの終端部分の一部の断面状態の概念図である。
【図３】本発明の第２の実施例を示す、粘着剤転写テープの終端部分の一部の平面図である。
【図４】図３における、粘着剤転写テープの終端部分の一部の断面状態の概念図である。
【図５】本発明の第３の実施例を示す、粘着剤転写テープの終端部分の一部の平面図である。
【図６】図５における、粘着剤転写テープの終端部分の一部の断面状態の概念図である。
【図７】本発明の粘着剤転写テープを収容した転写具であるテープのりの平面図である。
【発明を実施するための最良の形態】
【００１６】
回転可能に設けた供給リ−ルと巻取リ−ルと、転写ヘッドを具設した転写具に収容される、ベーステープの片面に転写対象物に転写可能な粘着剤層を設けた粘着剤転写テープの終端部のベーステープに、終端部以前のベーステープの色と異なる色彩の着色層あるいは表示層を設ける。
【実施例】
【００１７】
本発明の転写具の実施例を図面を用いて説明するが、本発明は実施例に限定されるものではない。実施例において同じ部材、同じ箇所を示す場合は同じ符号を付してある。
本実施例の粘着剤転写テープ１は、図７に示すように、転写ヘッド５１を外方に突出させて備えたケース本体５２内に、粘着剤転写テープ１を巻き付ける供給リ−ル５３と粘着剤転写テープ１を巻き取る巻取リ−ル５４とを回転可能に収容した従来より知られている「テープのり」５０と呼ばれている転写具に収容されるものである。
【００１８】
図１および図２に示す第１の実施例の粘着剤転写テープ１は、透明のポリエチレンテレフタレート樹脂からなるベーステープ２の終端部３の表面２ａの全面に、バインダー樹脂と染料又は顔料からなる着色層４を設けた後に、ベーステープ２の表面２ａ上や終端部３の表面２ａ上に設けた着色層４上および裏面２ｂ上にシリコン樹脂やワックス等からなる離型層５を塗布し、ベーステープ２の表面２ａ側の前記離型層５上に糊の粘着剤層６を設けたものである。
【００１９】
図３および図４に示す第２の実施例の粘着剤転写テープ１０は、透明のポリエチレンテレフタレート樹脂からなるベーステープ２の終端部３の表面２ａに、バインダー樹脂と染料又は顔料からなる着色剤で形成した「ＥＮＤ」と表記した文字で構成した表示層１１を設けた後に、ベーステープ２の表面２ａ上や終端部３の表面２ａ上に設けた着色層４上および裏面２ｂ上にシリコン樹脂やワックス等からなる離型層５を塗布し、ベーステープ２の表面２ａ側の前記離型層５上に糊の粘着剤層６を設けたものである。
【００２０】
図５および図６に示す第３の実施例の粘着剤転写テープ２０は、透明のポリエチレンテレフタレート樹脂からなるベーステープ２の後端７に、有彩色のポリエチレンテレフタレート樹脂からなる第２のベーステープ２１を連接し、ベーステープ２の表面２ａ上および裏面２ｂ上と、第２のベーステープ２１の表面２１ａ上および裏面２１ｂ上にシリコン樹脂やワックス等からなる離型層５を塗布し、ベーステープ２の表面２ａ側および第２のベーステープ２１の表面２１ａ側の前記離型層５上に糊の粘着剤層６を設けたものである。
【００２１】
図７は、前記各実施例の粘着剤転写テープ１または粘着剤転写テープ１０または粘着剤転写テープ２０を、供給リ−ル５３に巻き付けて収容したテープのりである。符号５４は、転写ヘッドカバーである。
【産業上の利用可能性】
【００２２】
回転可能に設けた供給リ−ルと巻取リ−ルと、転写ヘッドを具設した転写具に収容された、ベーステープの片面に転写対象物に転写するための転写剤層を設けた転写テープの終端部を知ることができる転写テープや転写具を得たい場合に適用できる。
【符号の説明】
【００２３】
１、１０，２０  粘着剤転写テープ
２  ベーステープ
２ａ  表面
２ｂ  裏面
３  終端部
４  着色層
５  離型層
６  粘着剤層
１１  表示層
２１  ベーステープ
２１ａ  表面
２１ｂ  裏面
【図１】
2011098996.tif 000003
【図２】
2011098996.tif 000004
【図３】
2011098996.tif 000005
【図４】
2011098996.tif 000006
【図５】
2011098996.tif 000007
【図６】
2011098996.tif 000008
【図７】
2011098996.tif 000009